(57)【要約】      （修正有）【課題】強い締付け力を必要とする並目ねじのボルトとナットの間に強力な緩み止めを行なう。【解決手段】弾性変形可能な材料で製作された座金の外周部１２の上面に多数の鋸歯突起１４を設け、そしてナット４の鍔部５の底面６に多数の歯型突起７を設ける、そしてこの座金の上からこのナットをボルトにねじ込んでいくことにより、ナットの鍔部の底面に設けた多数の歯型突起７は上記座金の上面の鋸歯突起の表面をこすり、それを下方に押し沈めながら回転し、ナットが最終までねじ込まれるとナットの歯形突起７と座金の鋸歯突起１４は、噛み合うことにより両者は結合されるようにした、ボルトとナットの緩み止めの構造。【選択図】図４
2016001051.tif 000002
【特許請求の範囲】
【請求項１】
ボルトとナットの緩み止めの構造において、上部部材（２１）と下部部材（２３）を重ね合せてボルト（１）を貫通して、その上に載せる座金（１０）の内周に突出部（１１）を設けて、ボルト（１）に設けた軸方向の縦溝（３）に嵌合させて両者の間の回転を阻止し、そして弾性変形可能な材料で製作された座金の外周部（１２）の上面に多数の鋸歯突起（１４）を設け、そしてナット（４）の鍔部（５）の底面（６）に多数の歯型突起（７）を設ける、そしてこの座金の上からこのナットをボルトにねじ込んでいくことにより、ナットの鍔部の底面に設けた多数の歯型突起（９）は上記座金の外周の上面の鋸歯突起の表面をこすり、それを下方に押し沈めながら回転する、そしてナットは最終までねじ込まれ、そしてナットに戻り方向の力が加わると、ナットの歯型突起（７）は座金の鋸歯突起（１４）と噛み合うことにより、ナットの回転は座金により阻止されるようにした、ボルトとナットの緩み止めの構造。
【請求項２】
請求項１に記載のボルトとナットの緩み止めの構造において、座金の外周部の上面に多数の歯型突起を設け、そしてナットの下部鍔部の底面に多数の歯形突起を設ける代わりに、座金の外周に沿うて弾性変形可能な材料により製作された薄肉の冠状部（１５）設け、この冠状部の内周面に多数の鋸歯突起（１７）を設け、そしてナットの鍔部の外周には多数の歯型突起（９）を設け、そしてこの座金の上からナットをボルトにねじ込んでいくことにより、ナットの鍔部の外周に設けた歯形突起は座金の冠状部の鋸歯突起の表面をこすり、それを外方向に押し除けながら回転し、そしてナットは最終までねじ込まれ、ナットに戻り方向の力が加わるとナットの歯型突起（９）は座金の鋸歯突起（１７）と噛み合うことにより、ナットの回転は座金により阻止されるようにした、ボルトとナットの緩み止めの構造。
【請求項３】
請求項１に記載のボルトとナットの緩み止めの構造において、座金の内周に突出部（１１）を設けて、ボルトに設けた縦溝（３）に嵌合させる方法の代りに、薄肉の座金（１０）にその内周より切込を入れた舌状部（１８）を設け、その舌状部の中央に小山状の盛上り部（２０）を形成し、その先端に焼入等により硬化させた鋸歯（１９）を設け、この座金をボルトに通して上部部材（２１）の上に載せ、その上よりナットを組込むことにより座金の盛上がり部を押圧して扁平にすることにより舌状部先端の鋸歯を押出し、ボルトのねじ山（２）に食い込ませて座金をボルトに結合させて両者の間の回転を阻止しうるようにした、ボルトとナットの緩み止めの構造。
【発明の詳細な説明】
【技術分野】
【０００１】  本発明は強い締付け力を必要とする並目ねじボルトとナットの間に確実な緩み止めを行なおうとするものである。
【背景技術】
【０００２】  緩み止めのためボルトにナットを固定する方法としては、ナットとボルトを貫通する共孔を開けここに割ピンを押込んで固定する方法があるが、この穿孔は現地で行うことがあり面倒であり、又一度ねじ戻しの後、再びナットを組込むときは合致しない欠点があり、又ころがり軸受を押え込む時に使用するナットは細目ねじであり、大きな荷重には耐えきれず座金の舌の折込み箇所は限られている、そのためこの方法を並目ねじボルトに用いることは不適である、又ねじ歯の摩擦力を高めるためのダブルナット式の緩み止めナットもあるが、この効果は不明である。
【発明の開示】
【発明が解決しようとする課題】
【０００３】  本発明は強力な締付力を必要とする並目ねじボルトの締付を行うとき、上部部材の上に座金を載せた後、ナットを締付けるだけで確実にナットの緩み止めを行なおうとするものである。
【課題を解決するための手段】
【０００４】  ボルトにナットを締め付けるとき、先ず上部部材２１と下部部材２３を重ね合せてボルト１を貫通して、その上に載せる座金１０の内周に突出部１１を設けて、ボルト１に設けた軸方向の縦溝３に嵌合させて両者の間の回転を阻止し、そして弾性変形可能な材料で製作された座金の外周部１２の上面に多数の鋸歯突起１４を設け、そしてナット４の鍔部５の底面６に多数の歯型突起７を設ける、そしてこの座金の上からこのナットをボルトにねじ込んでいくことにより、ナットの鍔部の底面に設けた多数の歯型突起９は上記座金の外周の上面の鋸歯突起の表面をこすり、それを下方に押し沈めながら回転する、そしてナットは最終までねじ込まれ、そしてナットに戻り方向の力が加わると、ナットの歯型突起７は座金の鋸歯突起１４と噛み合うことにより、ナットの回転は座金により阻止されるようになる。【０００５】  又、座金の外周部の上面に多数の歯型突起を設け、そしてナットの下部鍔部の底面に多数の歯形突起を設ける代わりに、座金の外周に沿うて弾性変形可能な材料により製作された薄肉の冠状部１５設け、この冠状部の内周面に多数の鋸歯突起１７を設け、そしてナットの鍔部の外周には多数の歯型突起９を設け、そしてこの座金の上からナットをボルトにねじ込んでいくことにより、ナットの鍔部の外周に設けた歯形突起は座金の冠状部の鋸歯突起の表面をこすり、それを外方向に押し除けながら回転し、そしてナットは最終までねじ込まれ、そしてナットに戻り方向の力が加わるとナットの歯型突起９は座金の鋸歯突起１７と噛み合うことにより、ナットの回転は座金により阻止されるようにする。【０００６】  座金の内周に突出部１１を設けて、ボルトに設けた縦溝３に嵌合させる方法の代りに、薄肉の座金１０にその内周より切込を入れる舌状部１８を設け、その舌状部の中央に小山状の盛上り部２０を形成し、その先端に焼入等により硬化させた鋸歯１９を設け、この座金をボルトに通して上部部材２１の上に載せ、その上よりナットを組込むことにより座金の盛上がり部を押圧して扁平にすることにより舌状部先端の鋸歯を押出し、ボルトのねじ山２に食い込ませて座金をボルトに結合させて両者の間の回転を阻止しうるようにする。
【発明の効果】
【０００７】  本発明の実施により並目ねじボルトにナットを強く締め込んだ後、強力な緩み止めが可能になり、鉄道車両等振動の激しいナットの脱落を防止しうるようになる。
【図面の簡単な説明】
【０００８】
【図１】本発明の請求項１の実施形態の一例として、ナットの平面図
【図２】本発明の請求項１の実施形態の一例として、座金の平面図
【図３】図１のナット及び図２の座金を上部部材及び下部部材を、貫通したボルトに締め込む前の側断面図
【図４】図３の状態の後、ナットを締め込んだ時の側断面図
【図５】本発明の請求項２の実施形態の一例として、ナットの平面図
【図６】本発明の請求項２の実施形態の一例として、座金の平面図
【図７】図５のナット及び図６の座金を上部部材及び下部部材を、貫通したボルトに締め込む前の側断面図
【図８】図７の状態の後、ナットを締め込んだ時の側断面図
【図９】本発明の請求項３の実施形態の一例として、ナットの平面図
【図１０】本発明の請求項３の実施形態の一例として、座金の平面図
【図１１】図９のナット及び図１０の座金を上部部材及び下部部材を、貫通したボルトに締め込む前の側断面図
【図１２】図１１の状態の後、ナットを締め込んだ時の側断面
【発明を実施するための形態】
【０００９】  ボルトにナットを締め付けるとき先ず上部部材２１と下部部材２３を重ね合せてボルト１を貫通して、その上に載せる座金１０の内周に突出部１１を設けて、ボルト１に設けた軸方向の縦溝３に嵌合させて両者の間の回転を阻止する。そして図２に例示する座金はバネ鋼、燐青銅又は合成樹脂等の弾性変形可能な材料で製作され、この座金の外周部１２にコ字形の切り溝１３を設け、この部分を上方に持上げて鋸歯突起１４を設ける、この鋸歯突起は座金の外周部に１６ケ所等間隔に設けられている、これに対してナット４の鍔部底面６には図１に例示するように３２個の歯形突起７が設けられ互に噛み合わされる、従って座金の全円周の３２箇所で噛合うことが出来る、そしてこの座金の上からこのナットをボルトにねじ込んでいくことにより、ナットの鍔部の底面に設けた多数の歯型突起９は上記座金の外周の上面の鋸歯突起の表面をこすり、それを下方に押し沈めながら回転する、そしてナットは最終までねじ込まれ、そしてナットに戻り方向の力が加わると、ナットの歯型突起７は座金の鋸歯突起（１４）と噛み合うことにより、ナットの回転は座金により阻止されるようになる。
【００１０】  又座金の外周部の上面に多数の歯型突起を設け、そしてナットの下部鍔部の底面に多数の歯形突起を設ける代わりに、図６に例示するように座金の外周に沿うて弾性変形可能な材料により製作された薄肉の冠状部１５設ける。この冠状部にコ字形の切溝１６を設け、この部分を内側に折り曲げて十数個の鋸歯突起１７を設け、そしてナットの鍔部の外周には鋸歯突起の２倍の数の歯形突起９を設け、そしてこの座金の上からナットをボルトにねじ込んでいくことにより、ナットの鍔部の外周に設けた歯形突起は座金の冠上部の鋸歯突起の表面をこすり、それを外方向に押し除けながら回転し、そしてナットは最終までねじ込まれ、そしてナットに戻り方向の力が加わるとナットの歯形突起９は座金の鋸歯突起１７と噛み合うことにより、ナットの回転は座金により阻止されるようになる。
【００１１】  座金の内周に突出部１１を設けて、ボルトに設けた縦溝３に嵌合させる方法の代りに、薄肉の座金１０にその内周より切込を入れる舌状部１８を設け、その舌状部の中央に小山状の盛上り部２０を形成し、その先端に焼入等により硬化させた鋸歯１９を設け、この座金をボルトに通して上部部材２１の上に載せ、その上よりナットを締込むことにより座金の盛上がり部を押圧して扁平にすることにより舌状部先端の鋸歯を押出し、ボルトのねじ山２に食い込ませて座金をボルトに結合させて両者の間の回転を阻止しうるようにする。
【符号の説明】
【００１２】  １・・・ボルト                        ２・・・ボルトのねじ山
３・・・ボルトの縦溝                  ４・・・ナット
５・・・ナットの鍔部                  ６・・・ナットの鍔部底面
７・・・ナットの鍔部底面の歯形突起    ８・・・ナットの鍔部外周
９・・・ナットの鍔部外周の歯形突起  １０・・・座金
１１・・・座金内周の突出部            １２・・・座金外周部
１３・・・座金外周部の切溝            １４・・・座金外周部上面の鋸歯突起
１５・・・座金外周の冠状部            １６・・・座金外周冠状部切溝
１７・・・座金外周冠状部の鋸歯突起    １８・・・座金の舌状部
１９・・・座金舌状部先端の鋸歯        ２０・・・座金舌状部の盛上り部
２１・・・上部部材                    ２２・・・上部部材のボルト孔
２３・・・下部部材                    ２４・・・下部部材のボルト孔
２５・・・ボルトの廻り止ピン        ２６・・・下部部材のボルト廻り止ピン用切込み
【図１】
2016001051.tif 000003
【図２】
2016001051.tif 000004
【図３】
2016001051.tif 000005
【図４】
2016001051.tif 000006
【図５】
2016001051.tif 000007
【図６】
2016001051.tif 000008
【図７】
2016001051.tif 000009
【図８】
2016001051.tif 000010
【図９】
2016001051.tif 000011
【図１０】
2016001051.tif 000012
【図１１】
2016001051.tif 000013
【図１２】
2016001051.tif 000014